(57)【要約】【課題】  この発明はベッド本体に設けられるテーブル板の使い勝手を向上させることができるようにしたベッド装置を提供することにある。【解決手段】  ベッド本体１と、このベッド本体の外側面の長手方向に沿って設けられたレール部材１２と、このレール部材にスライド可能かつ着脱可能に設けられたテーブル板１５とを具備する。【選択図】      図１
2005131084.tif 000002
【特許請求の範囲】
【請求項１】
ベッド本体と、
このベッド本体の外側面の長手方向に沿って設けられた取付け部と、
この取付け部にスライド可能かつ着脱可能に設けられたテーブル板と
を具備したことを特徴とするベッド装置。
【請求項２】
下面側に収納空間部を有するベッド本体と、
このベッド本体の空間部に前面をベッド本体の幅方向一側に向けて設けられた収納ボックスと、
この収納ボックスの前面に長手方向に沿って設けられた取付け部と、
この取付け部にスライド可能かつ着脱可能に設けられたテーブル板と
を具備したことを特徴とするベッド装置。
【請求項３】
上記取付け部は係合溝を有するレール部材からなり、上記テーブル板には上記係合溝にスライド可能かつ着脱可能に係合する係合片を有する係合部材が設けられていることを特徴とする請求項１又は請求項２記載のベッド装置。
【請求項４】
上記係合溝の断面形状は下方に向かって湾曲した円弧状で、上記係合片の断面形状は上記係合溝に対応して上方に向かって湾曲した円弧状であって、
上記係合片は、上記係合溝の湾曲形状に沿って回動させることで、上記係合溝に着脱可能であることを特徴とする請求項３記載のベッド装置。
【請求項５】
上記レール部材には側面に開口した着脱用空間部が形成され、上記係合溝は上端を上記着脱用空間部に上端を開口させて形成されており、
上記係合片は鉤型状であって、上記着脱用空間部に沿って上下動させることで、上記係合溝に係脱可能であることを特徴とする請求項３記載のベッド装置。
【発明の詳細な説明】
【技術分野】
【０００１】
この発明はベッド本体の側方に小物類を載置するためのテーブル板が設けられるベッド装置に関する。
【背景技術】
【０００２】
ベッド装置を利用する場合、たとえば水差し、照明スタンド或いは眼鏡などの種々の小物類を枕元に置くことができると便利である。そこで、ベッド装置の側方にナイトテーブルを設置し、このナイトテーブルの載置面に上述した小物類を置くようにしている。
【０００３】
ベッド装置には種々の形式のものがあり、たとえば仰臥した利用者の上半身を起こすことができる、いわゆる背上げ式のベッド装置や上面にマットレスが載置されるベッド本体の下面側に収納空間部を形成し、この空間部に引き出しを出し入れ可能に設けた、いわゆる収納式のベッド装置などが知られている。
【０００４】
ところで、背上げ式のベッド装置において、ベッド本体の側方にナイトテーブルを設置する場合、このナイトテーブルは、通常、利用者が上半身を起こさない状態、つまり仰臥した状態で最も使い易い位置に設置されることになる。
【０００５】
利用者が仰臥した状態で、ナイトテーブルが使い易い位置は、通常、利用者の頭部の側方、つまり枕もとである。しかしながら、ベッド装置を背上げして利用者の上半身を起こすと、ナイトテーブルの使い易い位置は仰臥しているときとは異なり、背上げ角度が大きくなるにつれて利用者の足元側に移動する。たとえば、利用者の上半身を約６０〜７０度程度に起こした場合、ナイトテーブルは利用者の臀部の側方にあった方が使い易い。
【０００６】
一方、格納式のベッド装置においては、ベッド本体の下面側の収納空間部に引き出しが出し入れ可能に設けられる。通常、上記収納空間部にはベッド本体の長手方向に対して分割された複数の引き出しが設けられている。引き出しが出し入れ可能に設けられている場合、ベッド本体の側方にナイトテーブルを設置すると、引き出しを使う際にナイトテーブルが邪魔になるということがある。
【発明の開示】
【発明が解決しようとする課題】
【０００７】
このように、ベッド装置が起床式の場合、利用者が上半身を起こす度合によってナイトテーブルの使い易い位置が変わってくるものの、背上げ角度に応じてナイトテーブルの設置位置を変えなければならないから不便である。
【０００８】
また、格納式のベッド装置の場合、ナイトテーブルを利用者の枕元に設置すると、ナイトテーブルの設置位置に対応する位置の引き出しを使う場合には、ナイトテーブルをどけなければならないから、その場合も不便である。
【０００９】
この発明は、ナイトテーブルとして使用することができる、小物類を載置するためのテーブル板をベッド本体の長手方向に沿ってスライド可能に、しかも着脱可能に設けることで、背上げをしたり、引き出しを使うなどの際に、上記テーブル板の位置を容易に変えることができるようにしたベッド装置を提供することにある。
【課題を解決するための手段】
【００１０】
この発明は、ベッド本体と、
このベッド本体の外側面の長手方向に沿って設けられた取付け部と、
この取付け部にスライド可能かつ着脱可能に設けられたテーブル板と
を具備したことを特徴とするベッド装置にある。
【００１１】
この発明は、下面側に収納空間部を有するベッド本体と、
このベッド本体の空間部に前面をベッド本体の幅方向一側に向けて設けられた収納ボックスと、
この収納ボックスの前面に長手方向に沿って設けられた取付け部と、
この取付け部にスライド可能かつ着脱可能に設けられたテーブル板と
を具備したことを特徴とするベッド装置にある。
【００１２】
上記取付け部は係合溝を有するレール部材からなり、上記テーブル板には上記係合溝にスライド可能かつ着脱可能に係合する係合片を有する係合部材が設けられていることが好ましい。
【００１３】
上記係合溝の断面形状は下方に向かって湾曲した円弧状で、上記係合片の断面形状は上記係合溝に対応して上方に向かって湾曲した円弧状であって、
上記係合片は、上記係合溝の湾曲形状に沿って回動させることで、上記係合溝に着脱可能であることが好ましい。
【００１４】
上記レール部材には側面に開口した着脱用空間部が形成され、上記係合溝は上端を上記着脱用空間部に上端を開口させて形成されており、
上記係合片は鉤型状であって、上記着脱用空間部に沿って上下動させることで、上記係合溝に係脱可能であることが好ましい。
【発明の効果】
【００１５】
この発明は、テーブル板をスライド可能かつ着脱可能に設けたから、このテーブル板を使い易い位置や邪魔にならない位置などに容易に移動させることができるばかりか、不要な場合には取外すこともできるから、使い勝手を向上させることができる。
【発明を実施するための最良の形態】
【００１６】
以下、この発明の実施の形態を図面を参照して説明する。
【００１７】
図１乃至図３はこの発明の第１の実施の形態を示し、図１（ａ），（ｂ）は背上げ式のベッド装置の斜視図である。このベッド装置はベッド本体１を備えている。このベッド本体１は一対の側板２（一方のみ図示）の長手方向一端を端板３で連結し、他端をヘッドボード４で連結して矩形枠状に形成されている。
【００１８】
上記ベッド本体１の上面には床板（図示せず）が設けられ、この床板の上面にはマットレス６が載置されている。このマットレス６のヘッドボード４側の一端部６ａは、たとえば内蔵されたヒンジ機構（図示せず）などによって図１（ａ）に示すように回動上昇可能になっている。つまり、マットレス６のヘッドボード４側の一端部６ａを起こすことで、マットレス６上に仰臥した図示しない利用者の上半身を起こした状態で支持することができるようになっている。
【００１９】
上記ベッド本体１の一方の側板２の高さ方向上部には、図２に示すように断面矩形状の取付け溝１１が長手方向全長にわたって形成されている。この取付け溝１１には取付け部を形成する角柱状のレール部材１２が嵌合固定されている。このレール部材１２はアルミニウムや合成樹脂などの材料によって形成されている。このレール部材１２には、側板２の外面に露出した一側面に先端を開放した、取付け部としての係合溝１３が形成されている。この係合溝１３はレール部材１２の一側面に開放した先端よりも後端が高い位置にあり、後端から先端に向かって凹円弧状に湾曲している。
【００２０】
上記係合溝１３にはテーブル板１５がこの係合溝１３に沿ってスライド可能かつ着脱可能に設けられる。すなわち、上記テーブル板１５は矩形状をなしていて、その一端は係合部材１６に形成された断面コ字状の保持部１７に挿入保持されている。この係合部材１６は、たとえばアルミニウムや合成樹脂などによって形成されていて、その保持部１７の内面には上記テーブル板１５の端面に打ち込まれる楔状のピン１８が設けられている。
【００２１】
上記保持部１７の外面の上端縁には、上記係合溝１３の湾曲形状に対応して凹円弧状に湾曲した係合片１９が形成されている。そして、この係合片１９を上記係合溝１３に挿入することで、上記テーブル板１５が上記側板２の長手方向に沿ってスライド自在となっている。
【００２２】
図３（ａ）に示すように、係合片１９を係合溝１３に係合させた状態において、上記保持部１７の外面の下端部には上記側板２の外面に当たってテーブル板１５をほぼ水平に保持する当接部２０が設けられている。
【００２３】
上記テーブル板１５を側板２から取外す場合には、図３（ｂ）に示すようにテーブル板１５を、係合溝１３に挿入された係合片１９を支点としながら先端側を上方へ回動させる。それによって、上記係合片１９を上記係合溝１３から抜出する方向にスライドさせることができるから、上記テーブル板１５を側板２から取外すことができる。
【００２４】
取外したテーブル板１５を側板２に取付ける場合には、取り外し時とは逆に、テーブル板１５を傾斜させた状態で係合片１９を係合溝１３に挿入しながら、このテーブル板１５を水平方向へ回動させればよい。
【００２５】
このように構成されたベッド装置によれば、マットレス６の一端部６ａが図１（ｂ）に示すように水平に倒伏した状態のときには、テーブル板１５をマットレス６上に仰臥する利用者の枕もとの近く、つまりヘッドボード４の近くに位置させておく。それによって、マットレス６上に仰臥した利用者は、仰臥した状態でテーブル板１５上に、たとえば眼鏡などの小物類を置いたり、逆にテーブル板１５上に置かれた小物類を取るなど、テーブル板１５を容易に利用することができる。
【００２６】
図１（ａ）に示すようにマットレス６の一端部６ａを起上させ、このマットレス６上に仰臥した利用者が上半身を起こした場合には、同図に示すようにテーブル板１５をマットレス６の屈曲部分、つまり上半身を起こした利用者の臀部の側方に移動させる。それによって、上半身を起こした利用者は、臀部の近くに位置するテーブル板１５を容易に利用することができる。
【００２７】
このように、テーブル板１５をベッド本体１の長手方向に沿ってスライド可能に設けたから、マットレス６上の利用者は仰臥した状態や上半身を起こした状態のいずれの状態であっても、使い勝手のよい位置に上記テーブル板１５を簡単に位置決めすることができる。
【００２８】
上記テーブル板１５は、ベッド本体１の側板２から取外すことが可能である。そのため、テーブル板１５が不要な場合には、ベッド本体１から取外すことで、邪魔になることがない。
【００２９】
なお、マットレス６の一端部６ａを屈曲上昇させるのに、ヒンジ機構を内蔵したマットレス６を挙げたが、床板の少なくとも利用者の上半身に対応する部分が背上げ機構によって上昇駆動されるベッド装置であっても、この発明を適用することができる。
【００３０】
図４は側板２に対するテーブル板１５の取付け構造の変形例を示す、この発明の第２の実施の形態である。この第２の実施の形態は、側板２の取付け溝１１及びこの取付け溝１１ａに設けられるレール部材１２ａの高さ寸法が第１の実施の形態の取付け溝１１ａ及びレール部材１２に比べて高くなっている。レール部材１２の一側面には着脱用空間部２１が開口形成されている。上記レール部材１２ａには係合溝１３ａが上記着脱用空間部２１に上端を開放させて垂直に形成されている。
【００３１】
一方、テーブル板１５に取付けられる係合部材１６の外面の上端には、係合片１９ａが鉤状に形成されている。この係合片１９ａは、上記着脱用空間部２１に挿入し、テーブル板１５とともに下降させることで、上記係合片１９ａを上記係合溝１３ａに係合させることができる。また、テーブル板１５を矢印で示す方向に上昇させることで、係合片１９ａを係合溝１３ａから外すことができる。
【００３２】
係合片１９ａと係合溝１３ａとの係合によってほぼ水平に保持されたテーブル板１５には小物類を載置する以上に大きな荷重が不用意に加わることがある。テーブル板１５に加わる荷重は、係合溝１３ａに係合した係合片１９ａが荷重を受けることになる。この係合片１９ａは鉤状である。そのため、係合片１９ａはテーブル板１５に加わる荷重によって係合溝１３ａから容易に外れるようなことがない。つまり、テーブル板１５は係合片１９ａによって片持ち状態であるが、係合片１９ａが鉤状であるため、係合溝１３ａから容易に外れることのない強度を備えることができる。
【００３３】
また、側板２に対するテーブル板１５の着脱は、このテーブル板１５を上下動させて係合片１９ａを係合溝１３ａに対して係脱すればよいから、その着脱操作も容易に行うことができる。つまり、レール部材１２ａに着脱用空間部２１を形成し、この着脱用空間部２１に係合溝１３ａの上端を開放させているから、係合溝１３ａに対して係合片１９ａの着脱を容易に行うことができる。
【００３４】
図５と図６はこの発明の第３の実施の形態を示す。この実施の形態は格納式のベッド装置にこの発明を適用した例である。すなわち、この実施の形態のベッド本体１Ａは、側板２、端板３及びヘッドボード４によって形成されたベッド本体１に、図６に示すように底板２３が設けられて矩形箱形状に形成されている。さらに、このベッド本体１Ａの開放した上面には床板２４が設けられ、この床板２４上にマットレス６が載置されている。なお、ベッド本体１Ａの一側面は側板２が設けられずに開放している。
【００３５】
矩形箱形状に形成されたベッド本体１内は収納空間部２５に形成され、この空間部２５にはベッド本体１の開放した一側面の長手方向に対して複数に分割された引き出し２６が出し入れ可能に設けられている。
【００３６】
ベッド本体１Ａの開放した一側には、床板２４の一端面に桟部材２７が長手方向全長にわたって固着されている。この桟部材２７には第１の実施の形態と同様、側面に開放した取付け溝１１が形成され、この取付け溝１１にはレール部材１２が嵌着されている。このレール部材１２には係合溝１３が形成され、この係合溝１３にはテーブル板１５に設けられた係合部材１６の係合片１９がスライド可能かつ着脱可能に係合している。
【００３７】
上記係合部材１６に形成された当接部２０は、テーブル板１５がほぼ水平に保持された状態で、引き出し２６の前板２６ａの前面に当たるようになっている。
【００３８】
このような構成によれば、図５に示すように３つの引き出し２６のうち、中央の引き出し２６を使う場合には、テーブル板１５をヘッドボード４側に位置する引き出し２６に対応する位置にスライドさせる。それによって、中央の引き出し２６をテーブル板１５が邪魔になることなく、自由に出し入れすることができる。同様に、ヘッドボード４側の引き出し２６を使用する場合には、テーブル板１５を中央の引き出し２６に対応する位置にスライドさせれば、その引き出し２６の使用に際し、テーブル板１５が邪魔になることがない。
【００３９】
このように、ベッド装置が引き出し２６を有する格納式であっても、テーブル板１５がベッド本体１Ａにスライド可能に設けられているため、テーブル板１５によって引き出し２６の使い勝手が悪くなるようなことがない。
【００４０】
なお、この第３の実施の形態においては、レール部材１２を桟部材２７に形成された取付け溝１１に設けるようにしたが、各引き出し２６の前板２６ａの上部にレール部材１２を設け、ここにテーブル板１５をスライド可能かつ着脱可能に設けるようにしてもよい。このように、テーブル板１５を引き出し２６に設ければ、テーブル板１５をベッド本体１Ａの長手方向だけでなく、引き出し２６の出し入れによって幅方向にも移動させることができるから、使い勝手をさらに向上させることができる。
【００４１】
図７はこの発明の第４の実施の形態を示す、格納式のベッド装置である。この実施の形態のベッド装置は第３の実施の形態の格納式のベッド装置とは構成が異なる。つまり、ベッド本体１Ｂはマットレスが載置される載置体３１を有し、この載置体３１には四隅部に脚部材３２が設けられ、長手方向一端にヘッドボード３３が設けられている。
【００４２】
脚部材３２によって所定の高さで支持された載置体３１の下面側は収納空間部３３となっており、この収納空間部３３には一側面が開放した収納ボックス３５が開口した側面を載置体３１の幅方向一端に向けて設けられる。この収納ボックス３５には複数、この実施の形態では２つの引き出し３６が出し入れ自在に設けられている。
【００４３】
上記収納ボックス３５の上面板３５ａの前端面には、第１の実施の形態と同様の取付け溝１１が形成され、ここにはレール部材１２が設けられ、このレール部材１２にはテーブル板１５が係合部材１６によってスライド可能かつ着脱可能に設けられている。
【００４４】
このような構成の格納式のベッド装置においても、上記第３の実施の形態と同様、テーブル板１５を使用する引き出し３６の位置から使用しない引き出しの位置へスライドさせることができるから、テーブル板１５を設けることで、引き出し３６の使い勝手が低下するのを防止することができる。
【００４５】
なお、第３、第４の実施の形態において、レール部材の係合溝と、係合部材の係合片との形状は湾曲形状に限られず、図４に示すように係合溝は直線状、係合部材は鉤状であっても差し支えない。
【００４６】
さらに、上記各実施の形態において、テーブル板の先端部下面に、このテーブル板を支える脚部材を設けるようにしてもよい。脚部材を設ければ、荷重によってテーブル板が傾いたり、レール部材から外れるのを防止することができる。なお、脚部材は折り畳み可能な構成であってもよい。
【図面の簡単な説明】
【００４７】
【図１】この発明の第１の実施の形態を示す背上げ式のベッド装置の斜視図。
【図２】テーブル板の取付け構造を示す拡大断面図。
【図３】（ａ）はテーブル板が水平に保持された状態の断面図、（ｂ）はテーブル板をレール部材から取外すために回動上昇させた状態の断面図。
【図４】この発明の第２の実施の形態を示すテーブル板の取付け構造の拡大断面図。
【図５】この発明の第３の実施の形態を示す格納式のベッド装置の斜視図。
【図６】図５に示すベッド装置のベッド本体を幅方向に沿って断面した図。
【図７】この発明の第４の実施の形態を示す格納式ベッド装置の斜視図。
【符号の説明】
【００４８】
１…ベッド本体、１２…レール部材、１３…係合溝（取付け部）、１５…テーブル板、１６…係合部材、１９…係合片。
【図１】
2005131084.tif 000003
【図２】
2005131084.tif 000004
【図３】
2005131084.tif 000005
【図４】
2005131084.tif 000006
【図５】
2005131084.tif 000007
【図６】
2005131084.tif 000008
【図７】
2005131084.tif 000009